【事件の表示】
　昭和６３年特許願第１３０４９２号「幼児及び成人のためのヌクレオシド類及び／又はヌクレオチド類に富んだ滋養製品及びその製造方法」拒絶査定に対する審判事件［平成　１年　３月　９日出願公開、特開平　１−　６３３５８］について、次のとおり審決する。
【結　論】
　本件審判の請求は、成り立たない。
【理　由】
１，手続の経緯・本願発明
　本願は、昭和６３年５月３０日（優先権主張　１９８７年５月２９日　スペイン国）の出願であって、請求項１〜１１に係る発明は、昭和６３年９月６日付け、平成１３年１０月１９日付けで補正された明細書の記載からみて、その特許請求の範囲の請求項１〜１１に記載されたとおりのものと認められ、請求項１には、次のとおり記載されている。
「【請求項１】
　アミノ窒素源、炭水化物類、食用脂肪類、ミネラル類及びビタミン類を含有し、添加物として、
（ａ）粉末形状の組成の場合、１００ｇ当たり下記成分を含み
　ウリジン　　５０〜２５０ｍｇ；
　グアノシン　５０〜２５０ｍｇ；
　アデノシン　５０〜２５０ｍｇ；
　シチジン　　５０〜２５０ｍｇ；
　イノシン　　５０〜２５０ｍｇ；
（ｂ）液体形状の組成の場合、１ｄｌ当たり下記の成分を含む
　ウリジン　　１０〜５０ｍｇ；
　グアノシン　１０〜５０ｍｇ；
　アデノシン　１０〜５０ｍｇ；
　シチジン　　１０〜５０ｍｇ；
　イノシン　　１０〜５０ｍｇ；
ことを特徴とする幼児調合物及び成人用食餌療法製品の調製に特に適した栄養的にバランスのとれた滋養製品。」（以下、これを、本願発明という。）
２，当審の拒絶の理由
　当審において平成１３年４月５日付けで通知した拒絶の理由の概要は、平成１２年２月２４日付けの手続補正書で補正された本願の請求項１〜１５に係る発明は、本願出願前に頒布された刊行物１〜９に記載された発明に基づき、当業者が容易に発明をすることができたものであるから、特許法第２９条第２項の規定により特許を受けることができない、というものである。
３，引用例に記載された事項
　刊行物１（以下、引用例１（特開昭５８−２１６６４７号公報）という）には、以下の記載がされている。
「１，牛乳、脱イオンホエー、植物油、ラクトース、りん酸二カリウム、くえん酸三カリウム、アスコルビン酸ナトリウム、ビタミン類、無機質及びヌクレオチドよりなる、ヌクレオチド添加人工ミルク。
２．ヌクレオチドが、アデノシン一りん酸（ＡＭＰ）、シチジン一りん酸（ＣＭＰ）、グアノシン一りん酸（ＧＭＰ）、イノシン一りん酸（ＩＭＰ）およびウリジン一りん酸（ＵＭＰ）よりなる群から選ばれる特許請求の範囲第１項記載の人工ミルク。
３．ＡＭＰ、ＣＭＰ、ＧＭＰ、ＵＭＰおよびＩＭＰのヌクレオチド類を１：１：１：３：０．５のモル比で含む、特許請求の範囲第２項記載の人工ミルク。」（特許請求の範囲１，２，３項）
「本発明の製品（人工ミルク）の目的は、それを飲ませた幼児で得られる結果と完全に一致し、そして人乳により近づけること、幼児の腸内ミクロフロアを良好に調節すること、及び母乳を飲ませた幼児でみられると同様に血清脂肪酸パターンを定めること、を挙げることができる。」（８頁右下欄１３行〜９頁左上欄１行）
「本発明の人工ミルク組成物は、本発明の一部分を構成する方法の結果として、２つの異なる態様ですなわちインスタント粉末製品として又は液体製品として製造又は提供できる。」（９頁左上欄２〜５行）
「本発明の組成物および方法を更によく理解するために、用いる材料をそれらの状態調節（コンディショニング）又は変性と一緒に記載する。
３．１％脂肪及び８．２％の非脂肪固形分を含み・・・牛乳。電気透析によって得られた６５％のたん白質を含む脱鉱物ホエー。ヤシ油の精製から得られた中間鎖トリグリセリド（ＭＣＴ）３０％、パーム油のオレイン酸留分１９％、トウモロコシ油２６％及び大豆油２５％によって構成される植物油の混合物。ラクトース（製剤的量）。リン酸二カリウム。・・・ビタミン。ヌクレオチド（ＡＭＰ、ＣＭＰ、ＧＭＰ、ＩＭＰ及びＵＭＰ）。鉱物（Ｆｅ、Ｍｎ、Ｃｕ、Ｉ）。」（９頁左上欄９行〜右上欄８行）
　刊行物２（以下、引用例２（特開昭６０−１２６２２０号公報）という）には、以下の記載がされている。
「（１）核酸構成成分の核酸塩基、ヌクレオシド類又はヌクレオチド類の少なくとも２種を有効成分ととして含有することを特徴とする栄養補給用核酸成分組成物。
（２）上記核酸成分組成物が輸液剤に調製されていることを特徴とする特許請求の範囲第１項に記載の核酸成分組成物。
（３）上記核酸成分組成物が経腸投与用に調製されていることを特徴とする特許請求の範囲第１項に記載の核酸成分組成物。」（特許請求の範囲１，２，３項）
「近年之等公知のタンパクアミノ酸製剤の投与によっては尚充分な栄養管理及び窒素平衡の維持が行い得ない症例が種々報告され、新しい製剤の開発が望まれていた。」（２頁左上欄１０行〜１３行）
「即ち、本発明は核酸構成成分の核酸塩基、ヌクレオシド類、又はヌクレオチド類の少なくとも２種類を有効成分として含有することを特徴とする栄養補給用の新規な核酸成分組成物に関する。
　上記核酸構成成分の核酸塩基としては例えばアデニン、ヒポキサンチン、グアニン、シトシン、ウラシル、チミン、オロチン酸等の塩基及びその無毒性塩、ヌクレオシド類としては、アデノシン、イノシン、グアノシン、シチジン、ウリジン、オロチジン等のヌクレオシド及びデオキシアデノシン、デオキシシチジン、デオキシグアノシン、デオキシウリジン、チミジン等のデオキシリボヌクレオシド及びこれらヌクレオシド類の無毒性塩。更に上記ヌクレオシド類にリン酸が１〜３個結合したヌクレオチド類としては、アデノシン−ｎ’−一リン酸（ＡＭＰ）、アデノシン−ｎ’−二リン酸（ＡＤＰ）、アデノシン−ｎ’−三リン酸（ＡＴＰ）、イノシン−ｎ’−一リン酸（ＩＭＰ）、イノシン−ｎ’−二リン酸（ＩＤＰ）、イノシン−ｎ’−三リン酸（ＩＴＰ）、グアノシン−ｎ’−一リン酸（ＧＭＰ）、グアノシン−ｎ’−二リン酸（ＧＤＰ）、グアノシン−ｎ’−三リン酸（ＧＴＰ）、シチジン−ｎ’−一リン酸（ＣＭＰ）、シチジン−ｎ’−二リン酸（ＣＤＰ）、シチジン−ｎ’−三リン酸（ＣＴＰ）、ウリジン−ｎ’−一リン酸（ＵＭＰ）、ウリジン−ｎ’−二リン酸（ＵＤＰ）、ウリジン−ｎ’−三リン酸（ＵＴＰ）、等のリボヌクレオチド（但し上記ｎ’は、２’、３’又は５’を示す）及びデオキシアデノシン・・・等のデオキシリボヌクレオチド（・・・）及びこれらヌクレオチド類の無毒性塩を挙げることができる。」（２頁右上欄２行〜右下欄７行）
「本発明核酸成分組成物は上記核酸構成成分を２種のみで用いてもよいが、好ましくは３種以上を適宜選択し組合わせて用いるのがよい。２種以上の核酸構成成分を用いる場合の組合せをその遊離形で示すと例えば次のとおりである。」（２頁右下欄１０行〜１５行）
「５種の場合は、シトシン／チミジン／ＧＭＰ／ＵＭＰ／ＩＭＰ、チミン／イノシン／ＡＭＰ／ＣＭＰ／ＧＭＰ、ＡＭＰ／ＣＭＰ／ＧＭＰ／ＵＭＰ／ＴＭＰ、ＡＭＰ／ＣＴＰ／ｄＧＭＰ／ＵＴＰ／ＩＭＰ、シトシン／ウリジン／ＡＭＰ／ＣＭＰ／ＵＭＰ、アデニン／シトシン／イノシン／ＵＭＰ／ＴＤＰ／、チミン／ＣＭＰ／ｄＡＴＰ／ｄＧＭＰ／ＵＴＰ、チミジン／ＡＭＰ／ＣＭＰ／ＧＭＰ／ＵＭＰ、チミジン／ＣＭＰ／ＧＭＰ／ＵＭＰ／ＩＭＰ、シトシン／チミジン／ＧＭＰ／ＵＭＰ／ＩＭＰ等、６種の場合は、シトシン／イノシン／ＡＭＰ／ＵＭＰ／ＧＭＰ／ＩＭＰ、アデニン／イノシン／チミジン／ＣＭＰ／ＵＭＰ／ＩＭＰ／、ｄＡＭＰ／ＡＴＰ／ＧＭＰ／ＵＤＰ／ＩＭＰ／ｄＣＭＰ、グアノシン／イノシン／ウリジン／ＵＭＰ／ＩＭＰ／ｄＧＭＰ、ＡＭＰ／ＣＭＰ／ｄＧＭＰ／ＵＴＰ／ＴＭＰ／ＩＭＰ、チミジン／ＣＭＰ／ＧＭＰ／ＵＭＰ／ＩＭＰ／ＴＭＰ、シトシン／チミジン／ＵＭＰ／ＣＭＰ／ｄＡＭＰ／ｄＧＭＰ、ＡＴＰ／ｄＣＭＰ／ＧＭＰ／ＵＤＰ／ＴＴＰ／ＩＭＰ等を挙げることができる。なお、本発明組成物は上記組合せに限定されるものではなく、核酸成分を７種以上組合わせた場合も包含するものである。また、核酸構成成分配合割合を例えば、モル比によって表わせば、本発明組成物のモル比は核酸構成成分の種類、患者の病態等に応じて広い範囲から適宜選択して決定することができる。」（３頁左上欄末行〜左下欄８行）
「本発明組成物はこれを経静脈内投与するための輸液剤の形態で使用することが好ましいが、経口及び経管等で経腸投与するために散剤、液剤、懸濁剤、乳剤、顆粒剤等の形態としても使用することができ、投与単位形態は目的等に応じて適宜に選択できる。」（３頁左下欄１４行〜右下欄１行）
「本発明核酸成分輸液の使用又は調製に当たっては本罪単独でも充分のその効果が認められるが、通常のアミノ酸製剤と併用することにより、更に良好な効果を奏し得る。又、上記の如く併用投与したアミノ酸の利用率を倍加し、之等アミノ酸の生体内での蛋白への合成を助け、エネルギー源としての消費を抑制するために例えば、グルコース、フルクトース・・・等の糖質を添加配合することもでき、之等糖質以外にも通常この種の輸液に添加配合できることが知られている各種成分例えば、脂質、ビタミン類、電解質、微量元素等を任意に添加配合することにより、より一層の効果が認められる。上記脂質としては、例えば、大豆油、綿実油、ゴマ油、」（３頁右下欄９行〜４頁左上欄６行）
「上記本発明核酸成分輸液の投与量は一般には１日成人一人当たり約２０〜５００ｍｌ、好ましくは３０〜２００ｍｌを目安としてこれを投与すべき患者の病理状態、年令、栄養状態、体重あるいは併用薬剤等に応じて適宜に増減させることができる。一方、本発明組成物を経腸投与する場合、上記輸液剤をそのまま利用しても良いが、散剤、液剤、懸濁剤、乳剤及び顆粒剤等の形態に調製して使用することもできる。その場合、有効成分を通常の添加剤と共に目的とする製剤の形態に加工され用いられる。」（４頁左下欄３行〜１３行）
　刊行物３（以下、引用例３（特開昭６１−２７７６１９号公報）という）には、
「（１）核酸構成成分の核酸塩基、ヌクレオシド類又はヌクレオチド類からなる群から選択される少なくとも２種を有効成分ととして含有することを特徴とする肝疾患治療剤。」（特許請求の範囲１）が記載され、２頁右上欄２行〜４頁左下欄８行には、引用例２に記載された事項の内容とほぼ同様の記載がされている（但し、刊行物３は、肝疾患治療剤についてのもの）。
４．判断
　引用例１記載の脱イオンホエーは、６５％のたん白質を含む脱鉱物ホエーであることが示されているから、本願発明のアミノ窒素源に相当し、引用例１記載のラクトースは本願発明の炭水化物類に相当し、引用例１記載のりん酸二カリウム、くえん酸三カリウム、アスコルビン酸ナトリウム、無機質は、本願発明のミネラル類に相当するものである。そして、引用例１記載の人工ミルクは、栄養補給のためのものといえるから滋養製品でもある。
　そうすると、本願発明と引用例１に記載の発明とを対比すると、両者は、
「アミノ窒素源、炭水化物類、食用脂肪類、ミネラル類及びビタミン類を含有し、添加物として核酸成分を含む滋養製品」である点で一致し、次の点で相違している。
　相違点（１）
　核酸成分として本願発明が、
粉末形状の組成の場合、１００ｇ当たり下記成分を含む
　ウリジン　　５０〜２５０ｍｇ；
　グアノシン　５０〜２５０ｍｇ；
　アデノシン　５０〜２５０ｍｇ；
　シチジン　　５０〜２５０ｍｇ；
　イノシン　　５０〜２５０ｍｇ；
としているのに対し、引用例１に記載のものでは、ヌクレオチド（アデノシン一りん酸（ＡＭＰ）、シチジン一りん酸（ＣＭＰ）、グアノシン一りん酸（ＧＭＰ）、イノシン一りん酸（ＩＭＰ）、ウリジン一りん酸（ＵＭＰ））であり、その配合量について明記していない点
　相違点（２）
　滋養製品について、本願発明が「幼児調合物及び成人用食餌療法製品の調製に特に適した栄養的にバランスのとれた」としているのに対し、引用例１に記載のものでは、特に明記していない点
　上記相違点について検討する。
　相違点（１）について
　上記引用例２には、核酸構成成分の核酸塩基、ヌクレオシド類又はヌクレオチド類の少なくとも２種を有効成分として含有する栄養補給用核酸成分組成物が記載され、これは、さらにアミノ酸製剤、炭水化物類である糖質、植物油等の脂質、ビタミン類、電解質、微量元素を配合してもよいことが記載されている。
　そして、引用例２の２頁右上欄２行〜３頁左下欄１３行の記載に接した当業者であれば、核酸を構成するヌクレオシド類とヌクレオチド類とは即ち、リン酸の結合の有無に拘わらず、栄養補給用に使用した場合には、ほぼ同等の効果が得られるであろうことは容易に予測できることといえる。
　そうであれば、引用例１に記載の核酸構成成分として示されている、ウリジン一りん酸（ＵＭＰ）、グアノシン一りん酸（ＧＭＰ）、アデノシン一りん酸（ＡＭＰ）、シチジン一りん酸（ＣＭＰ）、イノシン一りん酸（ＩＭＰ）、の各ヌクレオチド成分に代えて、ウリジン、グアノシン、アデノシン、シチジン、イノシンの各ヌクレオシド成分に代えてみる程度のことは、容易に想到し得たものといえる。
　そして、それらの各成分の配合量についても、適応対象となる患者の年齢、体重、疾患の程度、栄養状態等を考慮して適宜設定するものであること、及び引用例２には、患者の病理状態、年令、栄養状態、体重等により適宜増減できることも示されていることを考慮すると、本願発明が、前記記載のように各ヌクレオシドの含有量を規定した点に格別の創意工夫があるとはいえない。
　相違点（２）について
　引用例１に記載の製品が、幼児を養育するためのものであり、幼児の発育に必要な成分を含有する必要があることを考慮すると、この製品は幼児調合物に適した栄養的にバランスのとれた製品といえる。また、この製品を成人用食餌療法に調製することも、引用例２、３に記載の栄養補給製品、肝疾患治療剤の技術からみて容易に想到し得たものといえるから、この点に格別の創意工夫があるとはいえない。
　５．むすび
　以上のとおり、本願発明は、引用例１〜３に記載された発明に基づいて当業者が容易に発明をすることができたものであるから、特許法第２９条第２項の規定により特許を受けることができない。
　よって、結論のとおり審決する。